(57)【要約】【課題】用紙の両面に印字するプリンタにおいて、両面に印字された内容がページ毎に区切られていても、その用紙が扱いやすくなるような印字結果を得る。【解決手段】所定長さ毎のページが連続して形成された用紙の一面に印字する第１印字部と、前記用紙の他面に印字する第２印字部と、前記用紙を搬送する搬送部と、連続する印字データを用紙の前記一面と前記他面とがページとして連続するように画像を描画する印字する第１モードと、前記印字データの画像を前記用紙の一面にページが連続して形成し、引き続く前記印字データの画像を他面にページが連続して描画する第２モードとを有する画像制御部と、前記第１印字部と第２印字部に前記画像制御部で描画された画像を供給して前記用紙に印字する印字制御部を備えたプリンタとした。【選択図】  図７
2013184325.tif 000002
【特許請求の範囲】
【請求項１】
所定長さ毎のページが連続して形成された用紙の一面に印字する第１印字部と、
前記用紙の他面に印字する第２印字部と、
前記用紙を搬送する搬送部と、
連続する印字データを用紙の前記一面と前記他面とがページとして連続するように画像を描画する印字する第１モードと、前記印字データの画像を前記用紙の一面にページが連続して形成し、引き続く前記印字データの画像を他面にページが連続して描画する第２モードとを有する画像制御部と、
前記第１印字部と第２印字部に前記画像制御部で描画された画像を供給して前記用紙に印字する印字制御部
を備えたプリンタ。
【請求項２】
前記用紙の一面に印字する画像を描画する表面画像領域と、前記用紙の他面に印字する画像を描画する裏面画像領域とをさらに備え、
前記画像制御部の第２モードは、前記一面への連続した画像は搬送される前記用紙の先端側から前記表面画像領域に形成され、前記他面への連続した画像は搬送される前記用紙の先端側から前記他面画像領域に形成される
請求項１記載のプリンタ。
【請求項３】
前記用紙の一面に印字する画像を描画する表面画像領域と、前記用紙の他面に印字する画像を描画する裏面画像領域とをさらに備え、
前記第２モードは、前記一面への連続した画像は搬送される前記用紙の先端側から１ページ目が印字されるように前記表面画像領域に形成され、前記他面への前記一面から引き続く連続した画像は搬送される前記用紙の後端側から印字されるように前記裏面画像領域に形成される
請求項１記載のプリンタ。
【請求項４】
前記用紙の一面に印字する画像を描画する表面画像領域と、前記用紙の他面に印字する画像を描画する裏面画像領域とをさらに備え、
前記第２モードは、前記一面への連続した画像は搬送される前記用紙の先端側から印字されるように前記表面画像領域に形成され、前記他面への連続した画像は搬送される前記用紙の先端側から印字されるように裏面画像領域に形成される順次印刷モードと、前記一面への連続した画像は搬送される前記用紙の先端側から印字されるように前記表面画像領域に形成され、前記他面への連続した画像は搬送される前記用紙の後端側から印字されるように裏面画像領域に形成される逆転印刷モードの２つの発行方式を備えた
請求項１記載のプリンタ。
【請求項５】
前記順次印刷モードと前記逆転印刷モードは印字する枚数に応じて一方が選択される
請求項４記載のプリンタ。
【請求項６】
印刷する用紙は、長尺の台紙の両面のそれぞれに複数のラベルが連続的に貼付されたラベル用紙である
請求項１記載のプリンタ。
【発明の詳細な説明】
【技術分野】
【０００１】
本発明の実施形態は、プリンタに関する。
【背景技術】
【０００２】
サーマルヘッドを用いて用紙の両面に印字するレシートプリンタが知られている。このレシートプリンタは、受信したデータを用紙の表面と裏面に印字するデータに自動的に振り分けて、表面に印字する印字ヘッドと裏面に印字する印字ヘッドにそれぞれデータを供給して、両面に印字している。
【０００３】
また、両面プリンタにおいて、データの読出し方向を順方向プリントか逆方向プリントかに応じて切換えて、表面側と裏面側の印字の方向を任意に設定できるようにしたものがある。順方向プリントとは、最上位行（文字の上側）から用紙に印字されるようにするもので、逆方向プリントとは、最下位行（文字の下側）から用紙に印字するものである。順方向プリント、逆方向プリントは、操作部の設定に応じて決められる。
【先行技術文献】
【特許文献】
【０００４】
【特許文献１】特開２００７−３２０１８８号公報
【特許文献２】特開２００７−３２０１２２号公報
【発明の概要】
【発明が解決しようとする課題】
【０００５】
レシート用紙に印字する場合には、ページという概念がなくデータを連続して印字するため、両面に印字する場合に、受信したデータを単純に半分に分割して、一方のデータを表面に印字し、他方のデータを裏面に印字するようにする。また、順方向、逆方向の印字については、事前に決めた順方向の印字、逆方向の印字の設定に従って行なう。
【０００６】
しかしながら、例えば連続した用紙にブラックマークで区切られたページがあるもの、あるいは、長尺の台紙の表裏に連続してラベルが貼り付けられたものに印刷する場合には、単純に印字方向を決めただけでは、印字内容が見難くなる場合が生じる。
【課題を解決するための手段】
【０００７】
本実施例では、所定長さ毎のページが連続して形成された用紙の一面に印字する第１印字部と、前記用紙の他面に印字する第２印字部と、前記用紙を搬送する搬送部と、連続する印字データを用紙の前記一面と前記他面とがページとして連続するように画像を描画する印字する第１モードと、前記印字データの画像を前記用紙の一面にページが連続して形成し、引き続く前記印字データの画像を他面にページが連続して描画する第２モードとを有する画像制御部と、前記第１印字部と第２印字部に前記画像制御部で描画された画像を供給して前記用紙に印字する印字制御部を備えたプリンタとした。
【図面の簡単な説明】
【０００８】
【図１】本実施の形態のラベルプリンタの概略図
【図２】このラベルプリンタの電気接続を示すブロック図。
【図３】このラベルプリンタに設けられたＲＡＭに形成された領域を示すメモリマップ。
【図４】このラベルプリンタの短冊モードで印字されるラベルを示すもので、（ａ）は表面、（ｂ）は裏面の印字結果を表す図。
【図５】このラベルプリンタの長冊モードの順次印刷モードで印字されるラベルを示すもので、（ａ）は表面、（ｂ）は裏面の印字結果を表す図。
【図６】このラベルプリンタの長冊モードの逆転印刷モードで印字されるラベルを示すもので、（ａ）は表面、（ｂ）は裏面の印字結果を表す図。
【図７】このラベルプリンタが実行する処理を示すフローチャート。
【図８】ラベルプリンタが実行する変形例の処理を示すフローチャート。
【発明を実施するための形態】
【０００９】
以下、図１ないし図７を用いて、この実施の形態のプリンタについて説明する。このプリンタは、両面にラベルが貼付されたラベル用紙に印字が可能なラベルプリンタ１に適用したものである。
【００１０】
このラベルプリンタ１は、筐体２の中にラベル用紙３、第１印字部４、第２印字部５が配置されている。ラベル用紙３は、長尺の台紙６の両面にラベル７が連続して貼り付けられたものである。なお、台紙６の表面６ａと裏面６ｂに貼り付けられたラベル７は、一方のラベル７間を切断したときに他方のラベル７が切断されることがないように、用紙搬送方向に対してほぼ同じ位置になるように台紙６に貼り付けられる。このラベル用紙３は、ロール状に巻回されて、筐体２内に保持されている。
【００１１】
第１印字部４は、第１サーマルヘッド８と第１プラテン９とからなり、台紙６の表面６ａ側のラベル７に印字する。第２印字部５は、第２サーマルヘッド１０と第２プラテン１１とからなり、台紙６の裏面６ｂ側のラベル７に印字する。第２印字部５は、第１印字部４よりも用紙搬送路１２に沿った用紙搬送方向上流側に位置している。用紙搬送路１２に面して、第２印字部５よりも上流側に用紙の有無を検出する用紙センサ１３と、第１印字部４と第２印字部５の間に用紙の位置決めを行う位置センサ１４が設けられている。用紙センサ１３および位置センサ１４は共に光反射型のセンサで形成される。筐体２には、第１印字部４、第２印字部５でラベル７に印字されたラベル用紙３を排出する排紙口１５が形成される。なお、詳細な説明は省略するが、排紙口１５にカッタユニットを取り付けて、排紙されたラベル用紙３を切断するようにすることができる。
【００１２】
このようなラベルプリンタ１は、ＣＰＵ（Ｃｅｎｔｒａｌ  Ｐｒｏｃｅｓｓｉｎｇ  Ｕｎｉｔ）１６に、ＲＯＭ（Ｒｅａｄ  Ｏｎｌｙ  Ｍｅｍｏｒｙ）１７、ＲＡＭ（Ｒａｎｄｏｍ  Ａｃｃｅｓｓ  Ｍｅｍｏｒｙ）１８、第１サーマルヘッド８、第２サーマルヘッド１０、ステッピングモータからなり第１プラテンを駆動する用紙搬送部１９、電源の投入状態やプリンタの各種状態を表示する表示部２０、用紙センサ１３および位置センサ１４の入出力を制御するセンサ制御部２１、通信部２２がバスライン２３によって接続されている。通信部２２には、通信回線２４によってパソコン２５が接続されている。ＲＡＭ１８には、図３に示すように、パソコン２５から受信した印字データを展開する表面画像領域１８ａと裏面画像領域１８ｂおよびこのラベルプリンタ１のモードを設定するモード設定領域１８ｃが設けられている。なお、ラベル用紙３は、用紙搬送部１９で駆動される第１プラテン９が回転して、この第１プラテン９と第１サーマルヘッド８で挟まれたラベル用紙３が搬送される。また、第２プラテン１１はラベル用紙３の搬送に従動して回転する。
【００１３】
ここで、このラベルプリンタ１のモードについて、例えば「１」から「１０」までの番号を順に１０枚のラベルに印字する場合について、図４、図５、図６を参照しながら説明する。
【００１４】
まず大きく分けて短冊モードと長冊モードとの２種類のモードがある。短冊モードは、図４（ａ）、図４（ｂ）に示すように、「１」を台紙６の表面６ａの１枚目のラベル７に印字し、「２」を裏面６ｂの１枚目のラベル７に印字する。「３」を表面６ａの２枚目のラベル７に印字し、「４」を裏面６ｂの２枚目のラベル７に印字する。以下、同じように印字を続けて最後に「９」を表面６ａの５枚目のラベル７に印字し、「１０」を裏面６ｂの５枚目のラベル７に印字して終了する。このように「１」から「５」までの画像を１枚目の表面６ａの先端６ｃ側にあるラベル７から順に印字するために、印字データを表面画像領域１８ａに描画し、引き続き「６」から「１０」までの画像を、１枚目の裏面６ｂの先端６ｃ側にあるラベル７から順に印字するために、印字データを裏面画像領域１８ｂに描画し、次に２枚目の表面６ａのラベル７に描画していく。
【００１５】
長冊モードは順次印刷と逆転印刷とがある。順次印刷モードは、図５（ａ）、図５（ｂ）に示すように、台紙６の表面６ａの先端６ｃ側のラベル７から５枚目に順に「１」から「５」を印字し、裏面６ｂの先端６ｃ側から５枚目のラベル７に「６」から「１０」を印字する。つまり、１枚目の表面６ａにあるラベル７に「１」が印字され、その裏面６ｂにあるラベル７には「６」が印字される。２枚目の表面６ａ側のラベル７に「２」が、裏面６ｂ側のラベル７に「７」が印字される。以下同様に印字を続けて、５枚目の表面６ａ側のラベル７に「５」が、裏面側のラベル７に「１０」が印字される。この順次印刷モードのときには、印字される向きは、両面とも用紙の排出側が、すなわち先端６ｃが上になるように印字される。
【００１６】
逆転印刷モードは、図６（ａ）、図６（ｂ）に示すように、台紙６の表面６ａの先端６ｃ側のラベル７から５枚目にかけて順に「１」から「５」を印字し、裏面６ｂの先端６ｃ側のラベル７から５枚目に「１０」から始まり「６」で終わるように印字する。つまり、１枚目の表面６ａにあるラベル７に「１」が印字され、その裏面６ｂにあるラベル７には「１０」が印字される。２枚目の表面６ａ側のラベル７に「２」が、裏面６ｂ側のラベル７に「０」が印字される。以下同様に印字を続けて、５枚目の表面６ａ側のラベル７に「５」が、裏面６ｂ側のラベル７に「６」が印字される。逆転印刷モードのときには、表面６ａ側のラベル７には先端６ｃが上になるように印字され、裏面６ｂ側ではラベル７の先端６ｃが下になるように印字される。
【００１７】
以下、このラベルプリンタ１が実行する処理を、図７を参照しながら説明する。
【００１８】
このラベルプリンタ１は、パソコン２５からデータを受信したかを判断する（Ａｃｔ１）。データを受信したならば、そのデータが設定データか否かを判断し（Ａｃｔ２）、設定データであればその設定をＲＡＭ１８のモード設定領域１８ｃに記憶する（Ａｃｔ３）。受信したデータが設定データでなければ、印字データか否かを判断し（Ａｃｔ４）、印字データでなければ他のデータ処理を行なう（Ａｃｔ５）。印字データを受信したならば、モード設定領域１８ｃに記憶している設定が短冊モードか否かを判断し（Ａｃｔ６）、短冊モードであれば、奇数ページ目の印字データを表面画像領域１８ａに描画して記憶し（Ａｃｔ７）、偶数ページ目の印字データを裏面画像領域１８ｂに描画して記憶して（Ａｃｔ８）、表面画像領域１８ａに記憶した印字データを第１サーマルヘッドに供給し、裏面画像領域１８ｂに記憶した印字データを第２サーマルヘッドに供給し、用紙搬送部でラベル用紙３を搬送しながら、表面および裏面のラベル７に印字を行なう（Ａｃｔ９）。
【００１９】
また、印字データを受信した場合に短冊モードでない、つまり長冊モードと判断したならば、順次印刷モードか否かを判断する（Ａｃｔ１０）。順次印刷モードであれば、表面画像領域１８ａに受信した印字データの半分までを描画して記憶し（Ａｃｔ１１）、残りの半分の印字データを裏面画像領域１８ｂに描画して記憶する（Ａｃｔ１２）。なお、ここで受信したデータで印字する枚数が奇数になる場合には、表面に印字されるラベル７の枚数が裏面に印字されるラベル７の枚数よりも１枚多くなる。この描画が終わると、Ａｃｔ９の印字の処理を実行する。Ａｃｔ１０で順次印刷モードでないと判断したならば、逆転印刷モードであるので、表面画像領域１８ａに受信した印字データの半分をＡｃｔ１１と同じように描画して記憶し（Ａｃｔ１３）、裏面画像領域１８ｂには印字データを反転して、すなわち、表面画像領域１８ａに記憶した印字データとは上下が逆さまになるように描画して記憶する（Ａｃｔ１４）。この描画が終わると、Ａｃｔ９の印字の処理を実行する。逆転印刷モードで印字する枚数が奇数の場合には、表面６ａの１枚目のラベル７の裏側にあるラベル７には印字が行なわれない。
【００２０】
図５（ａ）、図５（ｂ）に示すように、順次モードでは、表面６ａのラベル７に印字された画像の向きと、裏面６ｂのラベル７に印字された画像の向きは同じ方向を向いている。一方、図６（ａ）、図６（ｂ）に示すように、逆転印刷モードでは、表面６ａのラベル７に印字された画像の向きと、裏面６ｂのラベル７に印字された画像の向きは反対の方向となっている。
【００２１】
このように、このラベルプリンタ１では、パソコン２５から印刷するときのモードが短冊モードか、長冊モードかを設定して、さらに長冊モードの時には順次印刷モードか逆転印刷モードかを設定する。このように設定可能としたことで、種種の印刷が可能となる。
【００２２】
例えば、長冊モードで片面５枚ずつ程度のラベル７に印字する場合には、台紙６の長さがあまり長くならないので、表面６aにあるラベル７の物品への貼り付けが終わった後に裏面６ｂにあるラベル７を物品に貼り付ける場合には、台紙６の幅方向から裏返すとラベル用紙３を裏返しやすいため、印字された文字等の上側が表面６ａと裏面６ｂのラベルで同じ方向になっていることが好ましい。一方、例えば片面５０枚ずつのラベル７に印字する場合には、長さが短いラベル７を用いたとしても、台紙６長手方向端部をめくるように裏返すことで、表面６ａの最後のラベル７と裏面７ｂの最初のラベルが連続するために、引き続きラベル７を物品に貼り付ける動作がやりやすい。
【００２３】
また、短冊モードでは、ラベルプリンタ１にカッタを取り付けて両面のラベル７に１枚印字しては、その印字毎に台紙を切断するような使い方をする場合に適している。
【００２４】
例えば、各ラベル７に１ずつ増えていく数値を印字するような場合に、１枚ごとに切断されて印字されるのであれば、切断されるラベル用紙３の表面６ａと裏面６ｂに連続して印字されることが好ましいため、短冊モードを選択する。一方で、ラベル７に連続して印字した後にラベル用紙３を切断して、後からラベル７を物品に貼り付ける場合には、長冊モードで印字して、例えば表面６ａ側のラベル７を物品に貼り付けた後に、裏面６ｂ側のラベル７を物品に貼り付ける。この長冊モードでは、順次印刷モードと逆転印刷モードがあり、使いやすいモードを選択可能となる。
【００２５】
次に、この実施の形態の変形例を、図８を参照して説明する。この変形例は、ラベルプリンタ１の基本的な構成は変わらず、実行する処理が異なるものである。なお、この処理を行なう場合には、ＲＡＭ１８にモード設定領域１８ｃを形成する代わりに、ＲＯＭ１７あるいはＲＡＭ１８に、印字するモードを決めるための印刷枚数を記憶しておく。この処理は、あらかじめ決められたラベル７の印字枚数に応じて、印字するモードを自動的に設定するものである。
【００２６】
まず、パソコン２５からデータを受信したか否かを判断し（Ａｃｔ２１）、受信しなければ受信するまで繰り返す。データを受信したならば印字データか否かを判断し（Ａｃｔ２２）、印字データでなければ他の処理を行なう（Ａｃｔ２３）。印字データを受信したならば、その印字データに含まれるラベルの印字枚数が５枚以上か否かを判断し（Ａｃｔ２４）、５枚以下であれば、短冊モードと判断して、奇数ページ目の印字データを表面画像領域１８ａに描画して記憶し（Ａｃｔ２５）、偶数ページ目の印字データを裏面画像領域１８ｂに描画して記憶して（Ａｃｔ２６）、表面画像領域１８ａに記憶した印字データを第１サーマルヘッドに供給し、裏面画像領域１８ｂに記憶した印字データを第２サーマルヘッドに供給し、用紙搬送部でラベル用紙３を搬送しながら、表面および裏面のラベル７に印字を行なう（Ａｃｔ２７）。
【００２７】
印字枚数が５枚を超える場合には、印字枚数が２１枚以上か否かを判断し（Ａｃｔ２８）、２１枚よりも少なければ、長冊モードの順次印刷モードと判断して、表面画像領域１８ａに受信した印字データの半分を描画して記憶し（Ａｃｔ２９）、残りの半分の印字データを裏面画像領域１８ｂに描画して記憶する（Ａｃｔ３０）。印刷枚数が２１枚以上であれば、長冊モードの逆転印刷モードと判断して、表面画像領域１８ａに受信した印字データの半分をＡｃｔ１１と同じように描画して記憶し（Ａｃｔ３１）、裏面画像領域１８ｂには印字データを反転して描画する（Ａｃｔ３２）。Ａｃｔ３０で描画が終わったか、Ａｃｔ３２で描画が終わったならば、Ａｃｔ２７の印字処理を実行する。
【００２８】
このラベルプリンタ１では、ラベル７に印字する枚数に応じて、短冊モードか長冊モードのいずれかを切換え、さらには長冊モードでも順次印刷モードか逆転印刷モードを切換える。このように、ラベルプリンタ１が自動的に印刷モードを切換えるために、操作者がモード設定を忘れてしまい間違ったモードで印刷が行なわれることがない。
【００２９】
ここで、印字するラベル７の枚数が５枚以下のときに短冊モード、２１枚以下の時には順次印刷モードとしているが、これらの枚数は適宜決めることが可能である。
【００３０】
この実施の形態では、ラベル用紙３を例にしたが、例えば連続紙にブラックマークでページ区切りが設けられ、このページ区切り単位で印字するような用紙を印字するプリンタにも適用できる。このような用紙を用いる場合には、用紙の表面と裏面の少なくとも一方が分離可能にされていることが望ましい。
【００３１】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、修正を行うことができる。これら実施形態やその変形は、発明の範囲や要旨に含まれるとともに、特許請求の範囲に記載された発明とその均等の範囲に含まれる。
【符号の説明】
【００３２】
１・・ラベルプリンタ
４・・第１印字部
５・・第２印字部
６・・台紙
６ａ・・表面
６ｂ・・裏面
６ｃ・・先端
７・・ラベル
１８ａ・・表面画像領域
１８ｂ・・裏面画像領域
【図１】
2013184325.tif 000003
【図２】
2013184325.tif 000004
【図３】
2013184325.tif 000005
【図４】
2013184325.tif 000006
【図５】
2013184325.tif 000007
【図６】
2013184325.tif 000008
【図７】
2013184325.tif 000009
【図８】
2013184325.tif 000010